(57)【要約】【課題】安全性が高く、高い接着効果をもたらすことのできる人工毛と地毛との接着性を増大するための処理剤及びその処理方法を開発する。【解決手段】本発明は、還元剤を有効成分として含む、人工毛と地毛との接着性を増大するための処理剤を提供する。前記還元剤は、チオグリコール酸、システイン、及び、それらの塩からなるグループから１種類又は２種類以上選択される場合がある。本発明は、本発明の処理剤を用意するステップと、地毛をブラッシングするステップ及び／又は地毛を前記処理剤で処理するステップと、前記地毛を洗浄するステップと、前記地毛を乾燥するステップとを含む、人工毛と地毛との接着性を増大するための処理方法を提供する。前記人工毛は、眉毛、睫毛、及び／又は、頭髪用の人工毛の場合がある。前記地毛は、眉毛、睫毛、及び／又は、頭髪の場合がある。【選択図】なし【特許請求の範囲】
【請求項１】
還元剤を有効成分として含むことを特徴とする、人工毛と地毛との接着性を増大するための処理剤。
【請求項２】
前記還元剤は、チオグリコール酸、システイン、及び、それらの塩からなるグループから１種類又は２種類以上選択されることを特徴とする、請求項１記載の処理剤。
【請求項３】
前記人工毛は、眉毛、睫毛、及び／又は、頭髪用の人工毛であることを特徴とする、請求項１又は２に記載の処理剤。
【請求項４】
前記人工毛は、ポリエステルポリマーを含むことを特徴とする、請求項１ないし３のいずれか１つに記載の処理剤。
【請求項５】
前記地毛は、眉毛、睫毛、及び／又は、頭髪であることを特徴とする、請求項１ないし４のいずれか１つに記載の処理剤。
【請求項６】
請求項１ないし５のいずれか１つに記載の処理剤を用意するステップと、
地毛をブラッシングするステップ及び／又は地毛を前記処理剤で処理するステップと、
前記地毛を洗浄するステップと、
前記地毛を乾燥するステップとを含むことを特徴とする、人工毛と地毛との接着性を増大するための処理方法。
【請求項７】
さらに、接着剤を用いて人工毛を前記地毛に接着するステップを含むことを特徴とする、請求項６に記載の処理方法。
【請求項８】
前記接着剤は、シアノアクリレート系接着剤であることを特徴とする、請求項７に記載の処理方法。
【請求項９】
前記人工毛は、眉毛、睫毛、及び／又は、頭髪用の人工毛であることを特徴とする、請求項６ないし８のいずれか１つに記載の処理方法。
【請求項１０】
前記人工毛は、ポリエステルポリマーを含むことを特徴とする、請求項６ないし９のいずれか１つに記載の処理方法。
【請求項１１】
前記地毛は、眉毛、睫毛、及び／又は、頭髪であることを特徴とする、請求項６ないし１０のいずれか１つに記載の処理方法。
【発明の詳細な説明】
【技術分野】
【０００１】
本発明は、還元剤を有効成分として含む、人工毛と地毛との接着性を増大するための処理剤及び処理方法に関する。
【背景技術】
【０００２】
現在、日本、アメリカ、ヨーロッパ等の世界各地で、女性の睫毛美容は一般的であり、マスカラやつけ睫毛が典型的に使用されている。つけ睫毛は、マスカラと比較して、海水浴や入浴時の水分や、運動時の汗等による剥落や剥離に対して持続性や耐性等の長所がある。
【０００３】
つけ睫毛は合成繊維から製造されることが典型的であり、さまざまな接着剤が、つけ睫毛を地毛に接着するために使用可能である。この接着剤には、ヒトの手術に用いられる安全でマイルドなタイプから、瞬間接着剤のように強力に接着するが、刺激が強いタイプまで、さまざまな種類が存在する。アロンアルファ（登録商標）に代表される瞬間接着剤は確かに良く接着する一方、使用時に有害事象を伴うおそれがある。
【０００４】
また、地毛と人工毛との接着性を向上させるための準備剤が開示されている（特許文献１）。しかし、この準備剤は、ポリビニルピロリドン（ＰＶＰ）、ポリアクリレート、エタノール等を含み、眉毛の油分や水分、ほこり、塩分の除去するために使用される。
【先行技術文献】
【特許文献】
【０００５】
【特許文献１】特開２０１１−２３６５１４号公報
【発明の概要】
【発明が解決しようとする課題】
【０００６】
従来、地毛と人工毛との接着性を増大させるための処理剤は知られていない。また、睫毛は、眉毛と比較して目により近くに存在するため、より高い安全性が睫毛の処理剤に求められる。そこで、安全性が高く、高い接着効果をもたらすことのできる人工毛と地毛との接着性を増大するための処理剤及び処理方法を開発する必要がある。
【課題を解決するための手段】
【０００７】
本発明者らは、合成繊維製のつけ睫毛は、いかなる接着剤を用いてもお互いに強く接着するが、睫毛−睫毛、及び、睫毛−つけ睫毛の間では、接着性が非常に弱いことを見出した。この発見は、睫毛の表面を改変（処理）すれば、つけ睫毛を睫毛に強く接着し得ることを示す。そこで、本発明者らは、人工毛と地毛との接着性を増大するための、還元剤を有効成分として含む処理剤、及び、処理方法に関する本発明を想到した。
【０００８】
本発明は、還元剤を有効成分として含む、人工毛と地毛との接着性を増大するための処理剤を提供する。
【０００９】
前記還元剤は、チオグリコール酸、システイン、グルタチオン、チオグリコール酸アンモニウム、チオグリコール酸モノエタノールアミン、アセチルシステイン、２−メルカプトエタノール、ジチオスレイトール、及び、それらの塩からなるグループから１種類又は２種類以上選択される場合がある。
【００１０】
本発明の処理剤の使用において、前記人工毛は、眉毛、睫毛、頭髪、及び／又は、髭用の人工毛の場合がある。
【００１１】
本発明の処理剤の使用において、前記人工毛は、ポリエステルポリマーを含む場合がある。また、前記人工毛は、ポリエチレンポリマー、ポリプロピレンポリマー、ポリブチレンテレフタレートポリマー、ポリエステルポリマー、ナイロンポリマー及び塩化ビニールポリマーからなるグループから選択される１種類又は２種類以上の合成繊維で形成される場合がある。
【００１２】
本発明の処理剤の使用において、前記地毛は、眉毛、睫毛、頭髪、及び／又は、髭の場合がある。
【００１３】
本発明は、本発明の処理剤を用意するステップ、地毛をブラッシングするステップ、地毛を前記処理剤で処理するステップ、前記地毛を洗浄するステップ、及び／又は、前記地毛を乾燥するステップを含む、人工毛と地毛との接着性を増大するための処理方法を提供する。
【００１４】
本発明の処理方法は、さらに、接着剤を用いて人工毛を前記地毛に接着するステップを含む場合がある。
【００１５】
本発明の処理方法において、前記接着剤は、シアノアクリレート系接着剤の場合がある。
【００１６】
本発明の処理方法において、前記人工毛は、眉毛、睫毛、頭髪、及び／又は、髭用の人工毛の場合がある。
【００１７】
本発明の処理方法において、前記人工毛は、ポリエステルポリマーを含む場合がある。また、本発明の処理方法において、前記人工毛は、ポリエチレンポリマー、ポリプロピレンポリマー、ポリブチレンテレフタレートポリマー、ポリエステルポリマー、ナイロンポリマー及び塩化ビニールポリマーからなるグループから選択される１種類又は２種類以上の合成繊維で形成される場合がある。
【００１８】
本発明の処理方法において、前記地毛は、眉毛、睫毛、頭髪、及び／又は、髭の場合がある。
【発明の効果】
【００１９】
本発明によれば、還元剤（例えば、チオグリコール酸、システイン）で処理された地毛は、前記還元剤で処理されていない地毛と比較して、人工毛に強く接着され得る。
【図面の簡単な説明】
【００２０】
【図１】非処理毛髪−ポリエステル繊維の接着力を示す代表的なチャート図（斜線は、接着力の積算値を算出した波形チャート部分を示すために、接着力の測定後に付された）。縦軸は接着力（Ｎ）を示し、横軸はストローク（ｍｍ）を示す。
【図２】処理毛髪−ポリエステル繊維の接着力を示す代表的なチャート図（斜線は、接着力の積算値を算出した波形チャート部分を示すために、接着力の測定後に付された）。縦軸は接着力（Ｎ）を示し、横軸はストローク（ｍｍ）を示す。
【図３】非処理毛髪−ポリエステル繊維、及び、処理毛髪−ポリエステル繊維における接着力の最大値を示すグラフ。縦軸は接着力の最大値（Ｎ）を示し、横軸は各実験条件を示す。
【図４】非処理毛髪−ポリエステル繊維の接着強度と、処理毛髪−ポリエステル繊維の接着強度とを示すグラフ。縦軸は接着強度（Ｎ×ｍｍ）を示し、横軸は各実験条件を示す。
【図５】毛髪と、つけ睫毛との接着力を示すグラフ。縦軸は接着力（ニュートン（Ｎ））を示し、横軸は各実験条件を示す。各実験条件の誤差棒は同一条件で１０ないし２０回繰り返した実験結果の測定値の標準偏差を示す。
【発明を実施するための形態】
【００２１】
本明細書において、「還元剤」とは、ジスルフィド基（−Ｓ−Ｓ−）を還元的に開裂可能な化合物をいう。前記還元剤は、例えば、チオグリコール酸、システイン、グルタチオン、チオグリコール酸アンモニウム、チオグリコール酸モノエタノールアミン、アセチルシステイン、２−メルカプトエタノール、ジチオスレイトール、及び、それらの塩を含むがこれらに限定されない。
【００２２】
本明細書において、「塩」は、金属塩、アンモニウム塩、アミン塩、酢酸塩、塩酸塩等を含む。前記金属塩は、アルカリ金属塩、アルカリ土類金属塩等の場合がある。前記アミン塩は、トリエチルアミン塩、ベンジルアミン塩等の場合がある。
【００２３】
本発明の処理剤は前記還元剤に加えて、地毛と人工毛との接着性を増大する効果を損なわないことを条件として、化粧品、医薬部外品、医薬品等に用いられる他の成分を必要に応じて適宜配合することができる。前記他の成分（任意配合成分）には、例えば、油、界面活性剤、水、アルコール、キレート剤、シリコーン、酸化防止剤、香料、防腐剤、ｐＨ調整剤、炭水化物、タンパク質、核酸、ビタミン、ミネラル等が含まれる。
【００２４】
本発明の処理剤の形態は、従来の医薬部外品、化粧品等に用いる形態であればよく、例えば、溶液、クリーム、乳液、ゲル、粉末、スプレーを含むがこれらに限定されない。
【００２５】
本発明の処理剤のｐＨは、地毛と人工毛との接着性を増大する効果を損なわないことを条件として、特に限定されない。チオグリコール酸、システイン、及び、それらの塩からなるグループから選択される１種類又は２種類以上の還元剤を有効成分として含む本発明の処理剤において、ｐＨは、好ましくはｐＨ７．０−１０．５であり、より好ましくはｐＨ７．５−１０．０であり、そして、最も好ましくはｐＨ８．０−９．５である。
【００２６】
本明細書において、「人工毛」は人工睫毛いわゆるつけ睫毛を含み、該人工毛は商業的に入手できる。前記人工毛の素材は特に限定されないが、合成繊維（例えば、ポリエチレンポリマー、ポリプロピレンポリマー、ポリブチレンテレフタレートポリマー、ポリエステルポリマー、ナイロンポリマー、塩化ビニールポリマー等）、炭素繊維、ガラス繊維を含むがこれらに限定されない。前記人工毛の素材には、植物繊維、動物繊維、生分解繊維等が含まれる場合がある。
【００２７】
本明細書において、「地毛」は、哺乳類、鳥類を含む動物の皮膚の附属器官であって、ケラチンから主に構成される生物学的ポリマーをいう。前記動物の生物種は、ヒト、サル、ウマ、ウシ、ヒツジ、ヤギ、マウス、モルモット、イヌ、ネコ及びニワトリを含むが、これらに限定されない。前記動物の生物種は、ヒトであることが好ましい。前記ヒトの地毛は、眉毛、睫毛、頭髪、（口、顎、頬の）髭を含むが、これらに限定されない。
【００２８】
本発明の処理方法において、地毛及び／又は人工毛が本発明の処理剤で処理される前に、地毛及び／又は人工毛は、水及び／又は洗剤で洗浄される場合がある。前記洗剤は、地毛と人工毛との接着性を増大する効果を損なわないことを条件として特に限定されないが、ドデシル硫酸ナトリウム（ＳＤＳ）の場合がある。前記洗剤の使用後に、前記地毛及び／又は人工毛は水で洗浄されることが好ましい。前記地毛及び／又は人工毛は、前記洗浄後に乾燥されることが好ましい。前記乾燥は、風乾、加熱乾燥の場合がある。
【００２９】
本発明の処理方法において、前記処理剤で地毛及び／又は人工毛を処理するステップでは、本発明の処理剤が地毛及び／又は人工毛に接触される。前記処理剤による処理時間は特に限定されない。前記処理時間は、５％システイン及び／又は５％チオグリコール酸を含む本発明の処理剤において、好ましくは１〜１１分間であり、より好ましくは３〜９分間であり、最も好ましくは５〜７分間である。前記処理剤による処理温度は、地毛と人工毛との接着性を増大する効果を損なわないことを条件として特に限定されないが、室温の場合がある。
【００３０】
本発明の処理方法において、地毛及び／又は人工毛が本発明の処理剤で処理される前又は後に、地毛及び／又は人工毛はブラッシングされる場合がある。前記ブラッシングは、櫛、歯科用回転鑢、メラミンスポンジ、スチレンポリマーフォーム等を用いて行うことができる。本発明の処理方法において、本発明の処理剤での処理後に、該処理を停止するための操作が行われる場合がある。
【００３１】
本発明の処理方法において、前記地毛及び／又は人工毛は、本発明の処理剤での処理後に、洗浄及び／又は乾燥される場合がある。本発明の処理方法において、前記地毛及び／又は人工毛は、前記処理を停止するための操作が行われた後に、洗浄及び／又は乾燥される場合がある。洗浄及び／又は乾燥の条件は、地毛と人工毛との接着性を増大する効果を損なわないことを条件として、特に限定されない。前記洗浄は、流水洗浄、拭き取り洗浄等の場合がある。前記洗浄時には、前記洗剤が用いられる場合がある。前記乾燥は、風乾、加熱乾燥の場合がある。
【００３２】
本発明の処理方法において、地毛と人工毛とを接着するための接着剤は、例えば、アクリレート系接着剤、ホットメルト系接着剤、シリコーン系接着剤等を含む。前記アクリレート系接着剤は、シアノアクリレート系接着剤の場合がある。前記接着剤は、従来、皮膚及び／又は地毛に対して用いられる接着剤であることが好ましい。前記接着剤は商業的に入手することができる。
【００３３】
本明細書において、接着性の測定及び分析は当業者に周知の方法を用いて実施される。接着性は、接着力、接着強度等を測定することによって評価できる。接着力は、市販の分析計測機器（例えば、オートグラフＡＧ−Ｘｐｌｕｓ  シリーズ（株式会社  島津製作所））や自作の計測機器（例えば、バネ秤）を用いて測定することができる。分析では、測定値はそのまま利用される場合がある。また、前記測定値は比較可能な値に変換して利用される場合がある。画像解析ソフトウェアが前記比較可能な値の算出に用いられ得る。前記比較可能な値は、接着力（Ｎ）及び接着強度（Ｎ×ｍｍ）の場合がある。
【００３４】
本発明の処理剤及び／又は処理方法は、被験体の体質、年齢、性別等に応じて適切に適用される。
【００３５】
以下に説明する本発明の実施例は例示のみを目的とし、本発明の技術的範囲を限定するものではない。本発明の技術的範囲は特許請求の範囲の記載によってのみ限定される。本発明の趣旨を逸脱しないことを条件として、本発明の変更、例えば、本発明の構成要件の追加、削除及び置換を行うことができる。
【００３６】
本明細書において言及される全ての文献はその全体が引用により本明細書に取り込まれる。
【実施例１】
【００３７】
接着力評価試験（１）
材料及び方法
人工毛として、ポリエステルポリマーの合成繊維（カタログ番号１１０４−０００５９６、株式会社ケイトオブ東京、直径０．１５ｍｍ）（以下、「ポリエステル繊維」という。）が用いられた。地毛として、健常人男性の毛髪（各５．０ｃｍ）が用いられた。
【００３８】
処理剤での処理
毛髪は、５％アンモニア水（和光純薬（株））でｐＨ８．５に調整した５％チオグリコール酸（和光純薬（株））の水溶液を処理剤として用いて７分間処理された（以下、「処理毛髪」という。）。対照として、毛髪は、前記混合液で処理されなかった（以下、「非処理毛髪」という。）。その後、処理毛髪及び非処理毛髪は流水下で１０分間洗浄され、ドライヤーで乾燥された。
【００３９】
接着
処理毛髪−ポリエステル繊維、及び、非処理毛髪−ポリエステル繊維が、それぞれ、シアノアクリレート系接着剤（ピグメンツグルー（商標）、カタログ番号１００２００１３２２、株式会社ケイトオブ東京）を用いて１．５ｃｍ接着された。一晩放置後に、接着力が評価された。
【００４０】
接着力評価
処理毛髪−ポリエステル繊維、及び、非処理毛髪−ポリエステル繊維の接着力を評価するために、接着部位と反対側の末端部分は、それぞれ、画用紙（１．５ｃｍ×１．５ｃｍ）に接着剤（セメダイン（登録商標）、セメダイン株式会社）で接着された。画用紙は、それぞれ、接着面に対して垂直方向に引っ張られ、毛髪とポリエステル繊維とを剥離する際の応力が接着力として測定された。接着力は、引張試験機（ＡＧ−２５０ｋＮＩ、株式会社  島津製作所）で５ｍｍ／分の条件で測定された。接着力の測定値は剥離開始時から剥離完了時まで記録された。接着強度（Ｎ×ｍｍ）として、処理剤で処理されなかった場合の接着力の積算値（図１；斜線部分）と、処理剤で処理した場合の接着力の積算値（図２；斜線部分）とが画像解析ソフトを用いて算出された。接着力は、接着強度（Ｎ×ｍｍ）に基づいて比較された。
【００４１】
結果
図１は、非処理毛髪−ポリエステル繊維の接着力を示す代表的なチャート図である（斜線は、接着力の積算値を算出した波形チャート部分を示すために、接着力の測定後に付された）。図２は、処理毛髪−ポリエステル繊維の接着力を示す代表的なチャート図である（斜線は、接着力の積算値を算出した波形チャート部分を示すために、接着力の測定後に付された）。図１及び２のチャート図では、縦軸は接着力（Ｎ）を示し、横軸はストローク（ｍｍ）を示す。図３は、非処理毛髪−ポリエステル繊維、及び、処理毛髪−ポリエステル繊維における接着力の最大値を示すグラフである。図３のグラフでは、縦軸は接着力の最大値（Ｎ）を示し、横軸は各実験条件を示す。接着力の最大値は、非処理毛髪−ポリエステル繊維では平均０．２０Ｎ（ｎ＝２）であった。接着力の最大値は、処理毛髪−ポリエステル繊維では０．４６Ｎ（ｎ＝２）であった。図４は、非処理毛髪−ポリエステル繊維の接着強度と、処理毛髪−ポリエステル繊維の接着強度とを示すグラフである。図４のグラフでは、縦軸は接着強度（Ｎ×ｍｍ）を示し、横軸は各実験条件を示す。非処理毛髪−ポリエステル繊維の接着強度は、平均０．７４Ｎ×ｍｍ（ｎ＝２）であった。処理毛髪−ポリエステル繊維の接着強度は、平均２．６８Ｎ×ｍｍ（ｎ＝２）であった。処理毛髪−ポリエステル繊維の接着強度は、非処理毛髪−ポリエステル繊維の接着強度よりも約３．６倍高かった。これらの結果から、地毛と人工毛との接着性は、還元剤（チオグリコール酸）を含む処理剤で地毛を処理することによって顕著に増大することが明らかになった。
【実施例２】
【００４２】
接着力評価試験（２）
材料及び方法
人工毛として、つけ睫毛（１１０４−０００５９６、株式会社ケイトオブ東京、直径０．１５ｍｍ）が用いられた。地毛として、健常人男性の毛髪（各５．０ｃｍ）が用いられた。
【００４３】
ブラッシング
毛髪は歯科用回転鑢を用いてブラッシングされた。対照として、毛髪はブラッシングされなかった。
【００４４】
処理剤での処理
毛髪は、５％システインを含む処理剤（ｐＨ９）で７分間処理された後、流水下で１０分間洗浄され、ドライヤーで乾燥された。対照として、毛髪は処理剤で処理されなかった。
【００４５】
接着
ブラッシングされておらず、処理剤で処理されていない毛髪（ブラッシング−、処理剤−）、ブラッシングされた毛髪（ブラッシング＋）、処理剤で処理された毛髪（処理剤＋）、及び、ブラッシングされ、処理剤で処理された毛髪（ブラッシング＋、処理剤＋）は、それぞれ、シアノアクリレート系接着剤を用いてつけ睫毛と接着された。接着の条件は、室温で５分間であった。その後、接着力が評価された。
【００４６】
接着力評価
接着力を評価するために、接着部位と反対側の末端部分は、それぞれ、画用紙（１．５ｃｍ×１．５ｃｍ）に接着剤（セメダイン（登録商標）、セメダイン株式会社）で接着された。毛髪とつけ睫毛とを剥離する際の接着力は、自作のバネ秤で測定された。１００ｇ重が１ニュートン（Ｎ）として換算された。
【００４７】
結果
図５は、毛髪と、つけ睫毛との接着力を示すグラフである。図５のグラフでは、縦軸は接着力（ニュートン（Ｎ））を示し、横軸は各実験条件を示す。各実験条件の誤差棒は同一条件で１０ないし２０回繰り返した実験結果の測定値の標準偏差を示す。接着力（Ｎ）は、毛髪（ブラッシング−、処理剤−）−つけ睫毛では０．１９Ｎであり、毛髪（処理剤＋）−つけ睫毛では０．３８Ｎであり、毛髪（ブラッシング＋）−つけ睫毛では０．４０Ｎであり、そして、毛髪（ブラッシング＋、処理剤＋）−つけ睫毛では０．９９Ｎであった。この結果から、毛髪とつけ睫毛との接着力は、毛髪をブラッシングするか、若しくは還元剤（システイン）を含む処理剤で毛髪を処理することによって統計学的に有意（ｐ＜０．００１、Ｓｔｕｄｅｎｔのｔ−検定）に増大することが明らかになった。また、毛髪とつけ睫毛との接着力は、毛髪をブラッシングし、還元剤（システイン）を含む処理剤で処理することによって統計学的に有意（ｐ＜０．００１、Ｓｔｕｄｅｎｔのｔ―検定）、かつ、相乗的に増大することが明らかになった。なお、システインを含む処理剤と同様に、他の還元剤（例えば、チオグリコール酸等）を含む処理剤も、接着力を相乗的に増大できることが示唆された。
【００４８】
以上の実施例の結果から、地毛と人工毛との接着性は、地毛を処理剤で処理することによって顕著に増大することが明らかになった。また、地毛と人工毛との接着性は、地毛を処理剤で処理すること、及び、地毛をブラッシングすることを組み合わせることによって相乗的に増大できることが示された。
【図１】
2016040416.tif 000002
【図２】
2016040416.tif 000003
【図３】
2016040416.tif 000004
【図４】
2016040416.tif 000005
【図５】
2016040416.tif 000006